(57)【要約】【課題】複数の式別を選択可能な投票カードを提供する。【解決手段】番号選択欄１３において、１段目から順に番号または組番を選択可能にし、１段目以外は前段までに選択された番号を組み合わせて組番を指定し、選択した番号に対応する式別選択欄１４において、式別を１つまたは複数選択する。【選択図】        図１
2004258831.tif 000002
【特許請求の範囲】
【請求項１】
競技に対する投票を行うための投票カードにおいて、
投票する番号または組番を選択可能な複数段からなる番号選択欄と、
前記番号と対応して、前記番号と同じ数設けられた、１欄で複数の式別を選択可能な式別選択欄と、を有し、
前記番号選択欄のうち１段目から順に、選択された前記番号に対応する前記式別選択欄の前記式別を選択可能にし、前記１段目以外は、前段までの選択された前記番号と組み合わせた前記組番に対する前記式別を選択可能にした
ことを特徴とする投票カード。
【請求項２】
競技に対する投票を行うための投票カードの情報をもとに投票券を発行する発券装置において、
前記投票カードの、投票する番号または組番が記入された複数段からなる番号選択欄を参照して前記番号または前記組番を読み取り、前記番号と対応して、前記番号と同数設けられた、１欄で複数の式別を選択可能な式別選択欄を参照して、前記式別を読み取る投票情報読取部と、
前記番号選択欄のうち１段目から順に、選択された前記番号に対応する式別選択欄を参照し、前記１段目以外は、前段までの選択された前記番号と組み合わせて前記組番を決定するようにして投票内容を認識する投票内容認識部と、
を有することを特徴とする発券装置。
【請求項３】
競技に対する投票を行うための携帯端末装置において、
入力順に優先順位を設けた番号または組番情報と、前記番号または組番情報に引き続いて入力される複数入力可能な式別情報と、を含む投票情報を入力する投票情報入力部と、
前記式別情報に応じて、前記番号または組番情報を、前記優先順位を参照して選択し、前記投票情報を認識する投票情報認識部と、
を有することを特徴とする携帯端末装置。
【発明の詳細な説明】
【０００１】
【発明の属する技術分野】
本発明は、投票カード、発券装置、携帯端末装置に関し、特に、競馬などの競技に対する投票を行う投票カード、投票カードの情報をもとに投票券を発行する発券装置、投票を行うための携帯端末装置に関する。
【０００２】
【従来の技術】
競馬、競輪、競艇、オートレースなどの公営競技が人気を博している。これらの公営競技において、ファンは、例えば、競馬の場合は勝馬を予想し投票する。従来、投票を行うために、予想を記入した投票カードを券売機（以下発券装置と呼ぶこともある）に入れて投票券（競馬の場合は馬券）を購入する方法があった。
【０００３】
図１９は、従来の投票カードの例を示す図である。
従来の投票カード５００は、競技が行われる場所を選択する場名選択欄５０１と、何レース目を選択するのかを記入するレース番号選択欄５０２と、例えば、競馬の場合、単勝、複勝、馬複などといった式別を選択する式別選択欄５０３と、式別に応じて、購入したい番号（競馬の場合は、馬番、枠番とも呼ぶ）またはこの番号を複数組み合わせた組番を記入する番号選択欄５０４と、番号選択欄５０４ごとに配置され、購入する金額を記入する金額記入欄５０５と、から構成される。
【０００４】
ファンは、まず、競技が行われる場所名（以下場名と呼ぶ）を場名選択欄５０１で選択し、何レース目に投票するかをレース番号選択欄５０２で選択し、式別選択欄５０３で式別を選択する。その後、式別に応じて番号選択欄５０４で番号または組番を選択し、購入金額を金額記入欄５０５に記入する。この投票カード５００において、式別選択欄５０３で選択した、式別“ａ”が、例えば１着馬と２着馬の組み合わせを当てる馬番連勝複式（馬複）の場合、番号選択欄５０４では、例えば、図のように“２−５”を選択すると、“２−５”、“５−２”の組み合わせが当たりとなる。また、この投票カード５００においては、１つの式別に対して、４つの投票が可能であり、投票ごとに購入金額を記入する。
【０００５】
ファンは、このようにして記入した投票カードを、競技場や、場外馬券場などに設置される券売機に入れ、購入した式別、番号または組番などが記載された投票券を購入する。競技終了後、購入した投票券が当たっていれば、配当に応じて払い戻しを受けることができる。
【０００６】
このような投票カードとして、ファンサービスの向上のために、年に数回行われるビッグレースを簡単に購入するためのものなど、様々な改良がなされている（例えば、特許文献１参照）。
【０００７】
一方、近年のネットワーク技術の発達に伴い、わざわざ投票カードを記入して券売機が設置される場所に足を運ばなくても、携帯電話などの携帯端末装置（以下携帯端末と略す）上で投票することが可能になってきている。
【０００８】
携帯端末での投票でも同様に、例えば、最初に場名を選択し、その後、投票を希望するレース名、式別、番号または組番、金額を入力する。例えば、１０レース目で、式別は馬複（予め“１”が割り当てられているとする）、組番２−５、金額１０００円を購入したい場合、“１０  １  ０２０５  ０１０”（購入金額は１００円単位）と入力する。さらに、違う式別を購入したい場合は、次の行に同様にして入力する。
【０００９】
【特許文献１】
特開平１１−１８５０８８（第２図）
【００１０】
【発明が解決しようとする課題】
しかし、従来の投票カードでは、１枚で１つの式別（裏面がある投票カードでは２つ）の投票しか行うことができないという問題があった。
【００１１】
すなわち、同じ番号または組番でも複数の式別を買うためには、複数の投票カードが必要であった。例えば、馬単２−５を買いたい場合で、馬複の２−５、５−２も買いたい場合は、複数の投票カードを買う必要がある。
【００１２】
また、従来の携帯端末では、１つの式別に対して１行の入力が必要であり、複数の式別を購入するためには、複数行の入力が必要であり面倒であった。
最近では、購入できる式別が拡大馬複（ワイド）、馬番連勝単式（馬単）、３連勝複式（３連複）、３連勝単式（３連単）など増えてきたため、記載する投票カードの枚数、入力行はますます増加傾向にある。
【００１３】
また、投票カードの枚数の増加は、消耗品費用の増加のみならず、ごみの増加に伴う環境の悪化にもつながる。
本発明はこのような点に鑑みてなされたものであり、複数の式別を購入可能な投票カードを提供することを目的とする。
【００１４】
また、本発明の他の目的は、複数の式別を購入可能な投票カードを読み取り、投票券を発行する発券装置を提供することである。
また、本発明の他の目的は、複数の式別を購入可能な携帯端末を提供することである。
【００１５】
【課題を解決するための手段】
本発明では上記課題を解決するために、競技に対する投票を行うための投票カードにおいて、図１に示すように、投票する番号または組番を選択可能な複数段からなる番号選択欄１３と、番号と対応して、番号と同じ数設けられた、１欄で複数の式別を選択可能な式別選択欄１４と、を有し、番号選択欄１３のうち１段目から順に、選択された番号に対応する式別選択欄１４の式別を選択可能にし、１段目以外は、前段までの選択された番号と組み合わせた組番に対する式別を選択可能にした、ことを特徴とする投票カード１０が提供される。
【００１６】
上記の構成によれば、１段目から順に番号または組番を選択し、選択した番号に対応する式別選択欄１４において、式別を１つまたは複数選択する。
【００１７】
【発明の実施の形態】
以下本発明の実施の形態を図面を参照して説明する。
図１は、本発明の実施の形態の投票カードの概略の構成図である。
【００１８】
本発明の実施の形態の投票カード１０は、競技が行われる場所を選択する場名選択欄１１と、投票するレース番号を選択するレース番号選択欄１２と、投票する番号（馬番または枠番）または組番を選択可能な３段からなる番号選択欄１３と、番号選択欄１３の番号と対応して、番号と同じ数設けられた式別選択欄１４と、式別選択欄１４ごとに配置される金額記入欄１５と、から構成される。
【００１９】
場名選択欄１１は、競技が行われる場名を“Ａ、Ｂ、Ｃ、全”の中から選択する欄である。なお“全”は全部の場名を選択するものである。
レース番号選択欄１２は、何レース目を選択して投票するのかを“１、２、３、…、１０、全”より選択するための欄である。なお、“全”は全レースを選択するものである。
【００２０】
番号選択欄１３は、上段（１段）、中段（２段）、下段（３段）の３段からなり、投票する番号または組番を、“１、２、…、６、全”より選択するための欄である。ここで、組番は上段、中段、下段のそれぞれで選択された番号の組み合わせで表現される。馬番連勝単式や、３連勝単式などのように着順の入れ替わりが許されない場合は、上段から、中段、下段の順序で組番が決まる。なお“全”は全てを選択するものである。
【００２１】
式別選択欄１４は、番号選択欄１３の番号と対応して、番号と同じ数設けられており、選択された番号または組番に対して、式別を選択する欄である。
式別選択欄１４において、単勝式や複勝式など１つの番号を当てる式別の場合は、上段（１段目）の番号選択欄１３の中で選択された番号に対応した式別選択欄１４で式別を選択する。また、馬複や馬単、ワイドなど２つの番号の組み合わせを当てる式別の場合は、中段（２段目）の番号選択欄１３の中で選択された番号に対応した式別選択欄１４で式別を選択する。また、３連単や３連複のように３つの番号の組み合わせを当てる式別の場合は、下段（３段目）の番号選択欄１３で選択された番号に対応した式別選択欄１４で式別を選択する。
【００２２】
なお、図の式別選択欄１４では、式別を記号ａ、ｂ、ｃ、ｄ、ｅ、ｆで示している。
図２は、競馬で用いられる式別とその説明を示す図である。
【００２３】
図１で用いる記号ａ〜ｆに対応した式別名と略称、式別の説明、当たりに該当する組番の例を示している。なお、図１には記していないが、後述する式別についても示した。
【００２４】
以下では競馬を例にして投票カード１０を説明し、記号ａ〜ｆを、図２に示す式別を表現するものとして説明する。
また、以下、本明細書では、図２に示すような式別名の略称を用いる場合もある。
【００２５】
金額記入欄１５は、式別選択欄１４ごとに配置されており、式別選択欄１４ごとに購入する金額を記入する欄である。
この投票カード１０において、例えば、“Ｂ”という場名で行われる競技の、第２レース、組番を３−２、記号ａ（馬複）、ｆ（馬単）の式別を購入する場合を説明する。
【００２６】
まず、場名選択欄１１に記載されている場名の中から“Ｂ”を選択する。次にレース番号選択欄１２に記載されているレース番号の中から“２”を選択する。本発明の実施の形態では、次に組番を選択する。組番３−２を購入するためには、３段からなる番号選択欄１３において、上段の“３”、中段の“２”を選択し、この中段の“２”に対応して設けられた式別選択欄１４ａで、２つの式別を示す記号ａ、ｆを選択する。最後に式別を記入した式別選択欄１４ａに対応する金額記入欄１５ａに、式別選択欄１４ａで選択した式別分の購入金額を記入する。
【００２７】
このようにして、馬複と、馬単の２つの式別の馬券が購入できる。
また、上記のようにして記入した投票カード１０では、さらに、上段の番号“３”に対応して設けられた式別選択欄１４ｂで、単勝式、複勝式の式別を選択することができる。例えば、単勝式を選択する場合は、式別選択欄１４ｂの“ｂ”を選択し、金額記入欄１５ｂに購入金額を記入することで、馬番（または枠番）“３”の単勝式を同じ投票カード１０上で購入することができる。
【００２８】
図３は、３つの番号の組み合わせを指定する投票カードの記入例を示す図である。
ここでは、図１で示した、購入する式別のほかに、３連単や３連複のように、３つの番号の組み合わせを用いた式別を購入する場合の記入例を示している。
【００２９】
３つの番号の組み合わせを用いた式別を購入する場合は、下段の番号選択欄１３を用いることになる。例えば、組番３−５−全を購入する場合は、上段で“３”、中段で“５”、下段で“全”を選択する。このような３つの番号の組み合わせを用いる場合、下段の番号“全”に対応した式別選択欄１４ｃが有効になる。この式別選択欄１４ｃで、例えば、記号ｄ（３連複）を選択し、金額記入欄１５ｃに購入金額を記入することで、３連複の馬券を購入することができる。
【００３０】
このように記入することにより、組番３−２の馬複と馬単、馬番“３”の単勝式、組番３−２−全、３−５−全の３連複と、複数の式別の馬券を同一投票カード１０上で購入することができる。
【００３１】
次に中央競馬を例にして、投票カードの詳細を説明する。
図４は、競馬のマークカード方式の投票カード及び記入例を示す図である。
投票カード２０は、前述の投票カード１０と同様に、場名選択欄２１、レース番号選択欄２２、３段からなる番号選択欄２３、番号と対応して配置された式別選択欄２４、式別選択欄２４ごとに配置された金額記入欄２５を有する。
【００３２】
さらに、投票カード２０は取消選択欄２６を有する。取消選択欄２６は、式別選択欄２４ごと（金額記入欄２５ごと）に配置され、“取消”をマークすることにより、その式別選択欄２４で選択した式別の購入を取り消す。
【００３３】
なお、実際は、マークして選択された部分は塗りつぶされるが、説明のために丸印をつけている。
図４のようにマークすると、場名は東京、第５レースで、馬番２の単勝を３００円、組番２−５の馬単とワイドを５００円、組番２−６の馬複を２００円購入することができる。
【００３４】
図５は、３つの番号の組み合わせを指定する投票カードの記入例を示す図である。
この図のように投票カード２０にマークすると、全場名、全レース、馬番２の単勝を３００円、組番２−５の馬単とワイドを５００円、組番２−６の馬複を２００円、さらに、組番２−５−全、及び組番２−６−全の３連複を１００円購入することができる。
【００３５】
さて、ファンは、次に、上記のように記入した投票カードを、競技場または場外馬券場などに設置されている発券装置に入れ、投票カードに記入した内容に応じて投票券（馬券）を購入する。
【００３６】
以下、発券装置について説明する。
図６は、発券装置の概略の構成図である。
発券装置５０は、投票カードの記入内容を読み取る投票情報読取部５１と、読み取った投票情報を確認のために画面に表示させる表示部５２と、購入者からの入力を受け付ける入力部５３と、投入された貨幣を識別する貨幣識別部５４と、投票情報に応じて投票券６０を発行する発券部５５と、釣り銭などを返却するための貨幣払出部５６と、投票情報を電話回線などの通信手段を用いて図示しない集計センタへ通知する投票情報通知部５７と、各部を制御する中央制御装置とメモリを備えた制御部５８と、から構成される。
【００３７】
発券装置５０において、投票カードが投入されると制御部５８の制御のもと、投票情報読取部５１で投票カードの記入（マーク）された投票情報が光学的に読み取られる。
【００３８】
投票情報の読み取りの際、投票情報読取部５１は、例えば、図４、５で説明した投票カード２０が入力された場合、場名選択欄２１、レース番号選択欄２２でマークされた情報のほか、投票する番号または組番が記入された複数段からなる番号選択欄２３を参照して、番号または組番を読み取る。また、この番号と対応して、番号と同じ数設けられた、１欄で複数の式別を選択可能な式別選択欄２４を参照して式別を読み取る。さらに、式別選択欄２４に対応して設けられた、金額記入欄２５の金額を読み取る。また、取消選択欄２６の情報も読み取る。
【００３９】
制御部５８では、投票情報読取部５１で読み取った投票情報をもとに、投票内容を認識する。この際、制御部５８では、番号選択欄２３のうち１段目から順に、選択された番号に対応する式別選択欄２４を参照し、１段目以外は、前段までの選択された番号と組み合わせて組番を決定するようにして投票内容を認識する。
【００４０】
具体的には、例えば、図５で示したような投票カード２０を入力した場合、１段目で選択された番号は“２”であり、この“２”に対応した式別選択欄２４を参照すると、“単”が選択されているので馬番２の単勝を投票していると認識する。また２段目では、“５”が選択されており、この“５”に対応した式別選択欄２４を参照すると、“馬単”と“ワイド”が選択されている。この際、前段で選択されている“２”と組み合わせて、組番２−５の馬単とワイドを投票していると認識する。さらに２段目では“６”が選択されており、これに対応した式別選択欄２４には“馬複”が選択されているので、同様に組番２−６の馬複を投票していると認識する。
【００４１】
また、３段目では、“全”が選択されているので、この“全”に対応した式別選択欄２４を参照すると、“３連複”が選択されている。この際、前段までで選択されている１段目の“２”、２段目の“５”及び“６”と組み合わせて、組番２−５−全と、組番２−６−全の３連複を投票していると認識する。
【００４２】
このように、読み込み、認識した投票内容を確認画面として表示部５２で表示させる。
図７は、投票カードと同じ形式で示した投票内容の確認画面例である。
【００４３】
確認画面として、例えば、この図のように投票カードと同様の形式で、場名、レース番号、組番（番号）、式別、金額、取消の各欄が表示される。さらに、貨幣識別部５４で認識された投入金額と、投票情報読取部５１で読み取られ、制御部５８で算出された合計金額が表示される。
【００４４】
また、カード返却ボタン７１及び購入ボタン７２が表示され、投票券を購入する場合は、購入ボタン７２を選択し、購入しない場合はカード返却ボタン７１を選択する。
【００４５】
図８は、図５で示した投票カードと同じ形式で、投票内容の確認画面を示す図である。
図５で示したように記入された投票カード２０が入力されると、この投票カード２０と同じ形式で確認画面が表示される。確認画面において、例えば、投票カード２０でマークされた部分は、マークの色を変更するか丸印がつけられる。また、カード返却ボタン７１ａ、購入ボタン７２ａが表示される。なお、投入金額が投票カードの合計金額より少ない場合は、購入ボタン７２ａは表示されない。
【００４６】
ここで、カード返却ボタン７１ａを選択すると、入力された投票カード２０が返却され、購入ボタン７２ａを選択すると、投票カード２０に記入された投票情報をもとにした投票券６０が発券部５５で発行される。
【００４７】
確認画面は、発行する投票券と同じ形式で表示するようにしてもよい。
図９は、投票券と同じ形式で示した投票内容確認画面の例である。
投票券と同じ形式で、場名、レース番号のほか、１つの式別に対応して組番、購入金額が表示される。
【００４８】
また、カード返却ボタン８１及び購入ボタン８２が表示され、投票券を購入する場合は、購入ボタン８２を選択し、購入しない場合はカード返却ボタン８１を選択する。
【００４９】
発券する投票券が複数枚あるときは、前ボタン８３と次ボタン８４を押して内容を確認する。なお、前ボタン８３と次ボタン８４は、発券する券が複数枚あるときに表示する。この場合、表示枚／総枚数で、総枚数における、画面に表示中の投票券の順番を表示する。また、各券の合計金額及び、総合計金額を表示する。
【００５０】
図１０は、図５で示した投票カードを入れたときに発券される投票券と同じ形式で示した投票内容確認画面の例である。
ここでは、図のように、投票情報読取部５１で読み取られ、制御部５８で前述したように認識された図５で示した投票カード２０の投票情報を、発券される投票券と同じ形式で、表示部５２により表示した例である。
【００５１】
また、カード返却ボタン８１ａ及び購入ボタン８２ａが表示され、馬券を購入する場合は、購入ボタン８２ａを選択し、購入しない場合はカード返却ボタン８１ａを選択する。なお、投入金額が投票カードの合計金額より少ない場合は、購入ボタン８２ａは表示されない。
【００５２】
図７〜１０で示した確認画面において、ファンは投票内容を確認して、よければ投票券（馬券）を購入する。また、投票内容を確認して、不要の組み合わせや、新たに購入したい組み合わせがあれば、入力部５３にその旨を入力して、削除または追加ができ、表示部５２により表示される。この際の変更に伴い、表示される合計金額も自動的に変更される。
【００５３】
なお、図７〜１０で示した確認画面を、投票する組み合わせが大きくなった場合に、購入者に注意を促すために表示するようにしてもよい。
図１１は、不要な投票を防止する処理の流れを示すフローチャートである。
【００５４】
投票カードが入力されると、投票情報読取部５１は、制御部５８の制御のもと、投票カードに記入されたマークから投票内容を読み取る（Ｓ１０）。制御部５８では、番号選択欄２３の１段目のマーク数ａを確認し（Ｓ１１）、２段目のマーク数ｂを確認し（Ｓ１２）、３段目のマーク数ｃを確認する（Ｓ１３）。図５で示した投票カード２０の場合は、ａ＝１、ｂ＝２となり、３段目は“全”が選択されているので、ｃ＝１８となる。
【００５５】
次に、１段目のマーク数ａと２段目のマーク数ｂと３段目のマーク数ｃとを掛け合わせ、所定数ｎ以下であるか否かを判断する（Ｓ１４）。ｎは、発券装置５０で設定される値である。例えばｎ＝３０などと設定される。ここで、（ａ×ｂ×ｃ）≦ｎであれば投票券を発行し（Ｓ１５）、ａ×ｂ×ｃがｎを上回った場合は、図７〜１０で示したような確認画面を表示する（Ｓ１６）。次に購入者により確認画面の、購入ボタンが選択されたか否かを判断し（Ｓ１７）、選択された場合は、ステップＳ１５で投票券を発行し、選択されない場合は、投票カードを返却する（Ｓ１８）。
【００５６】
図５で示した投票カード２０の場合は、ａ×ｂ×ｃ＝３６となり、ｎ＝３０と設定されている場合は、ステップＳ１４の判断によりステップＳ１６の処理で確認画面が表示され、購入者に確認を要求する。
【００５７】
上記のようにすることで、誤記などで投票数が不要に増えたものが発券されることを防止することができる。
図１２は、発行される投票券の一例を示す図である。
【００５８】
発券部５５では、制御部５８で認識した投票内容をもとに投票券６０を発券する。投票券６０は、式別ごとに並べて印刷され発券される。また、１つの式別に対する組番（または番号）が複数ある場合は、式別は１つ印刷する。
【００５９】
図１３は、図４で示した投票カードをもとに発行される投票券の例である。
図のように図４の投票カード２０に対応した投票券６０ａが、制御部５８で認識した投票内容をもとに発券部５５で印刷され発券される。
【００６０】
図１４は、図５で示した投票カードをもとに発行される投票券の例である。
図のように図５の投票カード２０に対応した投票券６０ｂが、制御部５８で認識した投票内容をもとに発券部５５で印刷され発券される。
【００６１】
上記で説明したような、発券装置５０は、投票情報通知部５７により、電話回線などの通信手段で、投票情報を集計する集計センタに接続される。
図１５は、投票情報を集計するシステムの概略を示す図である。
【００６２】
図のように、投票情報を集計する集計センタ１００と、前述したような複数の発券装置５０ａ、５０ｂ、５０ｃ、５０ｄ、が電話回線などの通信手段により接続された構成となる。
【００６３】
集計センタ１００では、各発券装置５０ａ、５０ｂ、５０ｃ、５０ｄから送られてくる投票情報を集計する。この集計された情報は、随時、競技における配当に反映され、その情報はファンに提供される。
【００６４】
なお、上記では、競馬を例にして説明したが、競輪、競艇、オートレースなどの公営競技における投票にも適用することができる。
また、上記では、番号選択欄を３段設けて、３つの番号の組み合わせまで説明したが、番号選択欄を４段以上設けて、４つの番号以上の組み合わせを適用できるようにしてもよい。
【００６５】
以上は、投票カードを用いた競技の投票について説明したが、携帯電話や、ＰＤＡ（Ｐｅｒｓｏｎａｌ  Ｄｉｇｉｔａｌ  Ａｓｓｉｓｔａｎｔ）などのような、携帯端末で投票することもできる。
【００６６】
以下、携帯端末による投票について説明する。
図１６は、本発明の実施の形態の携帯端末の機能を示す原理構成図である。
本発明の実施の形態の携帯端末２００は、投票情報を入力する投票情報入力部２０１と、入力した投票情報を表示する表示部２０２と、入力された投票情報を認識する投票情報認識部２０３と、入力された投票情報を通知する投票情報通知部２０４と、から構成される。
【００６７】
以下、競馬における投票を例にして本発明の実施の形態の携帯端末２００の動作を説明する。
投票を行う際、投票情報入力部２０１により投票情報を入力する。投票情報は、まず開催される場名を入力する。その次に、投票するレース番号、式別、番号または組番、購入金額を入力する。この際、まずレース番号、その次に２桁ずつ優先順位を設けて組番を入力し、その組番に対応する式別を次に入力する。さらに、式別ごとに購入金額を入力する。
【００６８】
携帯端末２００において、式別は数字で入力される。以下、式別として、単勝を“１”、馬複を“２”、馬単を“３”、ワイドを“４”、３連複を“５”として説明する。
【００６９】
例えば、５レース、組番２−５の馬単とワイドをそれぞれ５００円と、組番２−６の馬複を２００円と、馬番２の単勝を３００円購入する場合は、携帯端末２００で、〔０５  ０２０５０６  ３４  ００５  ２  ００２  １  ００３〕と入力する。ここで、“０５”で第５レースを表し、組番を２桁ずつ“０２”、“０５”、“０６”の順で表し、組番２−５を選択する式別を馬単の“３”、ワイドの“４”で表し、この２つの式別に対する購入金額の５００円を“００５”で表す。さらに、組番２−６を選択する式別を馬複の“２”で表し、この式別に対する購入金額の２００円を“００２”で表す。さらに、馬番２を選択する式別を単勝の“１”で表し、この式別に対する購入金額の３００円を“００３”で表している。
【００７０】
また、全レース、組番２−５の馬単とワイドをそれぞれ５００円と、馬番２の単勝３００円と、組番２−５−全通りの３連複を１００円購入する場合は、全通りを“０＊”で示すと、〔０＊  ０２０５０＊  ３４  ００５  １  ００３  ５００１〕と入力する。ここで、“０＊”で全レースを表し、組番を２桁ずつ“０２”、“０５”、“０＊”の順で表し、組番２−５を選択する式別を馬単の“３”、ワイドの“４”で表し、この２つの式別に対する購入金額の５００円を“００５”で表す。さらに、馬番２を選択する式別を単勝の“１”で表し、この式別に対する購入金額の３００円を“００３”で表す。さらに、組番２−５−全通りを選択する式別を３連複の“５”で表し、この式別に対する購入金額の１００円を“００１”で表している。
【００７１】
このように投票情報入力部２０１で入力することで、複数の式別を１行で指定して購入することができる。入力された投票情報は、投票情報認識部２０３で認識され、表示部２０２に確認画面として表示される。
【００７２】
図１７は、携帯端末に表示される投票内容の確認画面の例である。
図のように、入力された投票情報に応じて、投票内容が確認画面として表示される。この際、例えば、合計金額も表示する。この画面で“戻る”を選択すると、再び投票情報の入力に戻り、“投票”を選択すると投票を行う。投票が行われると、入力された投票情報は、投票情報通知部２０４により、集計センタに通知される。
【００７３】
図１８は、携帯端末を用いた投票を行うシステムの概略を示す図である。
図のように投票情報を集計する集計センタ３００と、中継センタ３１０と、中継センタ３１０と接続する前述したような複数の携帯端末２００ａ、２００ｂ、２００ｃ、２００ｄにより構成される。
【００７４】
集計センタ３００では、中継センタ３１０を介して各携帯端末２００ａ、２００ｂ、２００ｃ、２００ｄから送られてくる投票情報を集計する。この集計された情報は、随時、競技における配当に反映され、その情報はファンに提供される。
【００７５】
なお、上記では、競馬を例にして説明したが、競輪、競艇、オートレースなどの公営競技における投票にも適用することができる。
【００７６】
【発明の効果】
以上説明したように本発明では、投票する番号または組番を選択可能な複数段からなる番号選択欄と、番号と対応して、番号と同じ数設けられた、１欄で複数の式別を選択可能な式別選択欄とを配置したので、番号選択欄のうち１段目から順に、選択された番号に対応する式別を選択し、１段目以外は、前段までの選択された番号と組み合わせた組番に対する式別を選択することで、１枚の投票カードで複数の式別を選択することができる。
【００７７】
これにより、投票券の購入時の手間を省け、ファンサービスの向上が期待できる。さらに、消耗品である投票カードを減らすことにより、消耗品費の削減が可能になるうえに、ごみを減らすことができ、競技場内の美化にもつながる。
【図面の簡単な説明】
【図１】本発明の実施の形態の投票カードの概略の構成図である。
【図２】競馬で用いられる式別とその説明を示す図である。
【図３】３つの番号の組み合わせを指定する投票カードの記入例を示す図である。
【図４】競馬のマークカード方式の投票カード及び記入例を示す図である。
【図５】３つの番号の組み合わせを指定する投票カードの記入例を示す図である。
【図６】発券装置の概略の構成図である。
【図７】投票カードと同じ形式で示した投票内容の確認画面例である。
【図８】図５で示した投票カードと同じ形式で、投票内容の確認画面を示す図である。
【図９】投票券と同じ形式で示した投票内容確認画面の例である。
【図１０】図５で示した投票カードを入れたときに発券される投票券と同じ形式で示した投票内容確認画面の例である。
【図１１】不要な投票を防止する処理の流れを示すフローチャートである。
【図１２】発行される投票券の一例を示す図である。
【図１３】図４で示した投票カードをもとに発行される投票券の例である。
【図１４】図５で示した投票カードをもとに発行される投票券の例である。
【図１５】投票情報を集計するシステムの概略を示す図である。
【図１６】本発明の実施の形態の携帯端末の機能を示す原理構成図である。
【図１７】携帯端末に表示される投票内容の確認画面の例である。
【図１８】携帯端末を用いた投票を行うシステムの概略を示す図である。
【図１９】従来の投票カードの例を示す図である。
【符号の説明】
１０  投票カード
１１  場名選択欄
１２  レース番号選択欄
１３  番号選択欄
１４、１４ａ、１４ｂ  式別選択欄
１５、１５ａ、１５ｂ  金額記入欄
【図１】
2004258831.tif 000003
【図２】
2004258831.tif 000004
【図３】
2004258831.tif 000005
【図４】
2004258831.tif 000006
【図５】
2004258831.tif 000007
【図６】
2004258831.tif 000008
【図７】
2004258831.tif 000009
【図８】
2004258831.tif 000010
【図９】
2004258831.tif 000011
【図１０】
2004258831.tif 000012
【図１１】
2004258831.tif 000013
【図１２】
2004258831.tif 000014
【図１３】
2004258831.tif 000015
【図１４】
2004258831.tif 000016
【図１５】
2004258831.tif 000017
【図１６】
2004258831.tif 000018
【図１７】
2004258831.tif 000019
【図１８】
2004258831.tif 000020
【図１９】
2004258831.tif 000021